(57)【要約】【課題】本発明は、直流に対応するプラグおよびコンセントにおいて、極性の誤接続はもちろん防止できるとともにプラグのコンセントの刃受端子部材への装着作業が円滑容易に行える一対の刃状端子部材を備えたプラグ、コンセントおよびこれらを用いた照明装置ならびにこの照明装置を用いたショ―ケースを提供することを目的とする。【解決手段】電気絶縁性物質からなるプラグ本体１と、この本体１の一面側１１に所定間隔を隔て平行突出させた突出長が異なる長短一対の平板状の差し込み用の刃状端子部材３Ａ，３Ｂと、この各刃状端子部材３Ａ，３Ｂに接続され上記本体１から導出した給電線４とを備えているプラグＰ１、これらプラグＰ１が装着されるコンセントＣおよびこのコンセントＣを用いた照明装置ならびにこの照明装置を用いたショーケースＳＣである。【選択図】図１
2012185988.tif 000002
【特許請求の範囲】
【請求項１】
電気絶縁性物質からなるプラグ本体と；この本体の一面側に所定間隔を隔て平行突出させた突出長が異なる長短一対の平板状の差し込み用の刃状端子部材と；この各刃状端子部材に接続され上記本体から導出した給電線と；
を具備していることを特徴とするプラグ。
【請求項２】
電気絶縁性物質からなるプラグ本体と；この本体の一面側に所定間隔を隔て平行し、かつ、平行方向においてずらした位置から突出させた突出長が異なる長短一対の平板状の差し込み用の刃状端子部材と；この各刃状端子部材に接続され上記本体から導出した給電線と；
を具備していることを特徴とするプラグ。
【請求項３】
プラグ本体から突出した刃状端子部材の基部側を覆い、プラグ本体と一体または一体的に形成され電気絶縁性物質からなる段差部が設けられていることを特徴とする請求項１または２に記載のプラグ。
【請求項４】
平板状の各刃状端子部材の先端部端面は、平行方向において傾斜しプラグ本体からの突出長さが左右異なることを特徴とする請求項１ないし３のいずれか一に記載のプラグ。
【請求項５】
電気絶縁性物質からなる横断面が略コ字状をなす長尺のコンセント基体と；この基体内の長手方向に沿い平行に設けられた隔壁と；この隔壁により形成された一対の溝と；この溝内に高さを異ならせ配設された一対の刃受端子部材と；
を具備していることを特徴とするコンセント。
【請求項６】
刃受端子部材の横断面が、略Ω字状ないしは略Ｕ字状をなしていることを特徴とする請求項５に記載のコンセント。
【請求項７】
直流電源と；この直流電源に接続した上記請求項５または６に記載のコンセントと；このコンセントの刃受端子部材に差し込み装着された上記請求項１ないし４のいずれか一に記載のプラグと；このプラグの給電線に接続された直流点灯用光源と；
を具備していることを特徴とする照明装置。
【請求項８】
物品を収納するケースと；このケースの物品を照明する上記請求項７に記載の照明装置と；
を具備していることを特徴とするショーケース。
【発明の詳細な説明】
【技術分野】
【０００１】
本発明は、直流電力を供給するのに介在するプラグ、このプラグなどを接続するコンセントおよびこれらプラグとコンセントを用いた照明器具などの照明装置ならびにこの照明装置を配設した商品陳列用などのショーケースに関する。
【背景技術】
【０００２】
商店などで商品を収容して陳列販売を行うショーケースなどにおいて、陳列されている商品の照明用光源として蛍光ランプが多く用いられていた。近時、さらに省エネルギー化およびメンテナンスの容易化などをはかるため低電力で長寿命の発光ダイオード（以下、ＬＥＤと称する）を透光性のチューブ内に複数個収容して光源（ＬＥＤランプ）としたものが開発され実用化されている。
【０００３】
このＬＥＤを用いた光源の場合は、低電圧の直流をＬＥＤランプに印加することにより点灯されるため極性の誤接続がないよう、各接続部において種々の工夫がなされている。
【０００４】
たとえば差し込み形のプラグは、電気絶縁性物質製の本体の一面に所定間隔を隔て外径が異なる一対の丸棒状の差し込み端子部材を突出させたり、平板状の一対の端子部材を平行ではなく一方の端子部材に対し他方の端子部材を直角して突出させたりして＋（正）極用と−（負）極用とを識別できるようにし、これを受けるコンセント側も上記差し込み端子部材の形状や配置に合わせ受け側端子部材が設けられていて、プラグ側の一対の差し込み端子部材を受け側端子部材に挿入して装着するようにしている。そして、これらのものは直流用において逆極端子同志が装着されることはなく、極性が合わない電気的に誤接続がなされない構造となっている。
【０００５】
そして、これらにおいて１個のコンセントには、プラグ側の一対の差し込み端子部材が装着される受け側端子部材が１ないし複数組設けられていて、各受け側端子部材は相互の絶縁性やプラグの大きさなどを考慮したコンパクトにできている点はよいが、ショーケースなどの照明装置において器具の配設、増設や移動などを行う場合に多数のコンセントを要したり、コンセントを移動したり、器具側の配線長さを調整したりなど接続部材点数を多く要し、また、接続部材が目障りで外見上もよくないなど、特に商品などの陳列形態を変えることの多いショーケースなどにおいては不便を感じていた。
【発明の概要】
【発明が解決しようとする課題】
【０００６】
しかし、従来の上述した直流用などに対応するプラグやコンセントは電気的接続に安全性の高い構造であるが、特にショーケースなどコンセントの配設位置に制限があったり、狭く奥深い所に配設されている場合には、コンセントの刃受端子部材にプラグの刃状端子部材を差し込み装着する作業がやり難いということがあった。なお、照明器具などを吊持し電気的接続をなすとともに器具などの位置移動が可能な長尺のレール状端子部材を有するリニア形のコンセントと呼ばれている接続部材が知られているが、このコンセントは交流対応で極性には関係ないが器具などの重量に対応した複雑強固な接続構造が必要である。
【０００７】
すなわち、通常、プラグの刃状端子部材の先端は面取りなどした刃状の薄肉としてあるが、刃状端子部材が一対であったり手探り状態での作業など、挿入に強い力を要したり挿入位置の確認が取り難いなどの問題があった。また、コンセント側は照明器具など照明装置の増設や移動などに対応して多数個を用意しておく必要があるなどのことがあった。
【０００８】
本発明は、上記課題に鑑みなされたもので、直流に対応するプラグおよびコンセントにおいて、極性の誤接続はもちろん防止できるとともにプラグのコンセントの刃受端子部材への装着作業が円滑容易に行える一対の刃状端子部材を備えたプラグ、コンセントおよびこれらを用いた照明装置ならびにこの照明装置を用いたショ―ケースを提供することを目的とする。
【課題を解決するための手段】
【０００９】
上記の課題を解決するためになされたもので、本発明の第１の発明は、電気絶縁性物質からなるプラグ本体と、この本体の一面側に所定間隔を隔て平行突出させた突出長が異なる長短一対の平板状の差し込み用の刃状端子部材と、この各刃状端子部材に接続され上記本体から導出した給電線とを備えていることを特徴とするプラグである。
【００１０】
また、本発明の第２の発明は、電気絶縁性物質からなるプラグ本体と、この本体の一面側に所定間隔を隔て平行し、かつ、平行方向においてずらした位置から突出させた突出長が異なる長短一対の平板状の差し込み用の刃状端子部材と、この各刃状端子部材に接続され上記本体から導出した給電線とを備えていることを特徴とするプラグである。
【００１１】
また、本発明の第３の発明は、プラグ本体から突出した刃状端子部材の基部側を覆い、プラグ本体と一体または一体的に形成され電気絶縁性物質からなる段差部が設けられていることを特徴とするプラグである。
【００１２】
また、本発明の第４の発明は、平板状の各刃状端子部材の先端部端面は、平行方向において傾斜しプラグ本体からの突出長さが左右異なることを特徴とするプラグである。
【００１３】
また、本発明の第５の発明は、電気絶縁性物質からなる横断面が略コ字状をなす長尺のコンセント基体と、この基体内の長手方向に沿い平行に設けられた仕切壁と、この仕切壁により形成された一対の溝と、この溝内に高さを異ならせ配設された一対の刃受端子部材とを備えていることを特徴とするコンセントである。
【００１４】
また、本発明の第６の発明は、刃受端子部材の横断面が、略Ω字状ないしは略Ｕ字状をなしていることを特徴とするコンセントである。
【００１５】
また、本発明の第７の発明は、直流電源と；この直流電源に接続した上記請求項５または６に記載のコンセントと、このコンセントの刃受端子部材に差し込み装着された上記請求項１ないし４のいずれか一に記載のプラグと、このプラグの給電線に接続された直流点灯用光源とを備えていることを特徴とする照明装置である。
【００１６】
さらに、本発明の第８の発明は、物品を収納するケースと、このケースの物品を照明する上記請求項７に記載の照明装置とを備えていることを特徴とするショーケースである。
【発明の効果】
【００１７】
本発明によれば、プラグのコンセントへの差し込み装着に際し、極性の誤りがなく接続がなされるとともにプラグの差し込む力が弱くて済むなどの利点を有するプラグ、これらプラグに対応して受入れる極性の誤りがなく接続がなされるとともに長手方向における任意個所や多数個のプラグの接続が可能なコンセントで配線やメンテナンスなどの作業性の向上がはかれる直流用などに好適なプラグおよびコンセントを提供することができる。また、このプラグおよびコンセントを用い作業性や環境の向上がはかれた効果を奏する照明装置ならびにこの照明装置を用いたショーケースを提供することができる。
【図面の簡単な説明】
【００１８】
【図１】本発明に係わるプラグの第１の実施の形態を示す側面図である。
【図２】図１の上面図である。
【図３】図１の底面図である。
【図４】図１の前面図である。
【図５】図１の後面図である。
【図６】本発明に係わるプラグの第２の実施の形態を示す側面図である。
【図７】図６の上面図である。
【図８】図６の底面図である。
【図９】図６の前面図である。
【図１０】図６の後面図である。
【図１１】図９中の矢視ａ−ａ線に沿った断面図である。
【図１２】図９中の矢視ｂ−ｂ線に沿った断面図である。
【図１３】本発明に係わるコンセントトの実施の形態を示す一部を切欠した縦断側面図である。
【図１４】図１３の上面図である。
【図１５】図１３の底面図である。
【図１６】図１３の拡大前面図である。
【図１７】図１３の拡大後面図である。
【図１８】図１３中の矢視ｃ−ｃ線に沿った拡大断面図である。
【図１９】本発明に係わるショーケースの実施の形態を示す斜視図である。
【発明を実施するための形態】
【００１９】
以下、実施の形態を図面を参照して説明する。図１ないし図５はプラグの第１の実施の形態を示し、図１は側面図、図２は上面図、図３は底面図、図４は前面図、図５は後面図である。
【００２０】
図に示すプラグＰ１は、電気絶縁性の硬質塩化ビニールからな略直方体形状をなすプラグ本体１と、この本体１の一面（底面）１１側から所定の間隔を隔て平行して突出した、長短一対の差し込み用の刃状端子部材３Ａ，３Ｂと、この刃状端子部材３Ａ，３Ｂに接続した給電線４Ａ，４Ｂ（４）と、この給電線４Ａ，４Ｂを本体１に固定する軟質塩化ビニール製のアーマー５などとを主体として構成されている。また、１２は側面に設けられた指引掛け用の突起である。
【００２１】
上記差し込み用の刃状端子部材３Ａ，３Ｂは平板状のリン青銅板をプレスにより成形しスズメッキした略長方形状をなし、差し込み先端部は面取りした薄肉の刃状をなしている。
【００２２】
このプラグＰ１は、一対の刃状端子部材３Ａ，３Ｂと、この刃状端子部材３Ａ，３Ｂに接続しアーマー５が被せられた給電線４とが所定の間隔を隔て型内にセットされ、型内に硬質塩化ビニールを供給し固化することにより一体化したものが得られる。なお、給電線４Ａ，４Ｂの他端は図示していないがこのプラグＰ１と同形のプラグＰ１や周知の接続具が設けられている。
【００２３】
また、図６ないし図１２はプラグの第２の実施の形態を示し、図１ないし図５と同一部分には同一の符号を付してその説明は省略する。図６は側面図、図７は上面図、図８は底面図、図９は前面図、図１０は後面図、図１１は図９中の矢視ａ−ａ線に沿った断面図、図１２は図９中の矢視ｂ−ｂ線に沿った断面図である。
【００２４】
この第２の実施の形態のプラグＰ２は、略直方体形状をなすプラグ本体１の一面（底面）１１側からは刃状端子部材３Ａ，３Ｂの基部側を覆って二段に突出した段差部２と、この段差部２の高低面２Ａ，２Ｂから平行し、かつ、平行方向にずれた位置から露出長さを略同寸突出させた長短一対の差し込み用の刃状端子部材３Ａ，３Ｂと、この刃状端子部材３Ａ，３Ｂに接続した給電線４Ａ，４Ｂ（４）と、この給電線４Ａ，４Ｂを本体１に固定するアーマー５などとを主体として構成されている。
【００２５】
また、差し込み用の略長方形状をなす刃状端子部材３Ａ，３Ｂは、差し込み先端部端面は薄肉の刃状をなすとともに長手方向に傾斜させてある。この傾斜はたとえばずれた位置にある両端子部材３Ａ，３Ｂの近接している側より、離れている側の最先端部３１が高く（段差部突出基部よりの露出長さを長く）形成してある。また、両刃状端子部材３Ａ，３Ｂの露出突出長さは略同寸であるが、プラグ本体１から刃状端子部材３Ａ，３Ｂの最先端部３１までの高さは異なる、すなわち高面２Ａからの刃状端子部材３Ａ側は長く、低面２Ｂからの刃状端子部材３Ｂは短い長短の差のある状態である。３２は基部に設けられた抜け止め用の突起である。なお、このプラグＰ２も上記と同様の手段で製造される。
【００２６】
図１３ないし図１８はリニア形のコンセントＣ（長尺のため図において中間部分の一部は省略。）の実施の形態を示し、プラグ本体１から平行に突出長が異なる長短一対の平板状の差し込み用の刃状端子部材３Ａ，３Ｂを備えた上記プラグＰ１やＰ２などは、このコンセントＣに接続して使用される。図１３は一部を切欠した縦断側面図、図１４は上面図、図１５は底面図、図１６は前面図、図１７は後面図、図１８は図１３中の矢視ｃ−ｃ線に沿った拡大断面図である。
【００２７】
図１３ないし図１８において、６は硬質塩化ビニールからなる横断面が略コ字形状をなす長尺の基体で、この基体６内には長手方向に沿って横断面が略Ｗ字形状をなす絶縁体６１が装着されている。この絶縁体６１は中央の仕切り用の隔壁６２を隔て深さが異なる二条の溝６３Ａ，６３Ｂおよび中空部６４が設けられている。７Ａ，７Ｂは上記溝６３Ａ，６３Ｂ内に沿い高低差をつけて設けられたリン青銅板製の横断面が弾性を付与された略Ω字状や略Ｕ字状をなす長尺の刃受端子部材、７１，７１（一方は図示されていない。）は刃受端子部材７Ａ，７Ｂに接続した電源端子、７２，７２はこの電源端子７１，７１に接続した電源線で、この電源線７２，７２の他端には電源供給用のハーネス７３が接続されたリニア形のコンタクトＣである。
【００２８】
また、６４Ａ，６４Ｂは難燃性ＡＢＳ樹脂からなるエンドキャップで上記刃受端子部材７Ａ，７Ｂの端部や電源端子７１，７１などを覆いこれら部材の固定と安全上の保護などをはかっている。また、６５，…は基体６の外底面に設けられたマグネット、６６，…は刃受端子部材７Ａ，７Ｂの抜出し防止用の係止凸部、点線で示す６７は図において右側のエンドキャップ６４Ｂに設けられた電源線７２の挿通孔である。なお、電源線７２が挿通されない左側のエンドキャップ６４Ａや右側のエンドキャップ６４Ｂにおいて電源線７２が挿通されない場合は必要ない。
【００２９】
そして、上記プラグＰ１やＰ２は、たとえば直流電源とＬＥＤランプとの間で中継接続器具として使用され、直流電源に接続された上記コンセントＣの刃受端子部材７Ａ，７ＢにこのプラグＰ１やＰ２の刃状端子部材３Ａ，３Ｂを挿入装着することにより接続される。
【００３０】
すなわち、コンセントＣは長尺の刃受端子部材７Ａ，７Ｂが絶縁体６１の隔壁６０により仕切られた溝６３Ａ，６３Ｂ内に配設されているので短絡することがなく、コンセントＣの深い溝６３Ａ側の刃受端子部材７Ａ（＋極）内にはプラグＰ１やＰ２の本体１から突出する長さが長い側の刃状端子部材３Ａ（＋極）が、また、浅い溝６３Ｂ側の刃受端子部材７Ｂ（−極）内には突出する長さが短い側の刃状端子部材３Ｂ（−極）が挿入される。また、プラグＰ２の場合は、プラグ本体１の段差部２がこの段差部２と略同形状をなす中空部６４内に嵌まるとともに下面１１とコンセントＣの開口部上面とが近接ないしは当接することにより装着され、予め定めてある極性接続を行うことができる。
【００３１】
なお、上記プラグＰ１やＰ２の刃状端子部材３Ａ，３Ｂの挿入が１８０度反転した状態の、コンセントＣの浅い溝６３Ｂ側の刃受端子部材７Ｂ（−極）にプラグＰ１やＰ２の長い側の刃状端子部３材Ａ（＋極）を挿入しても先端の一部しか挿入できず進入が停止するとともに、他方の短い側の刃状端子部材３Ｂ（−極）は深い溝６３Ａ側の刃受端子部７材Ａ（＋極）に届かず接触しないので通電されることがなく、誤接続によるＬＥＤランプや電源回路装置などの損傷を防止することができる。
【００３２】
そして、本発明ではプラグＰ１やＰ２などのコンセントＣへ装着に際し、刃受端子部材７Ａ，７Ｂに対し刃状端子部３Ａ，３Ｂが正対し両最先端部３１，３１がそれぞれ刃受端子部材７Ａ，７Ｂ面に当接していても、また、傾斜して一方の刃状端子部材３Ａ側のみ最先端部３１が刃受端子部材７Ａ面に当接していても、あるいは刃受端子部材７Ａ，７Ｂの近傍に刃状端子部材３Ａ，３Ｂが当接していても、最先端部３１近傍のみの当接面積が少ない接触状態で抵抗が小さいのでプラグＰ１やＰ２の差し込む力は弱くてよい。
【００３３】
また、このプラグＰ１やＰ２の差し込みを続けていくと、弾性が付与された略Ω字状をなす刃受端子部材７Ａ，７Ｂは拡開して平板状の刃状端子部材３Ａ，３Ｂを受入れ両側から挟み圧接して電気的な接続がなされるとともに機械的な固定もなされ、プラグＰ１の場合は底面１１とコンセントＣの基体６１の開口部が近接ないしは当接するとともに電気的に誤接続が生じることがなく装着される。また、プラグＰ２の場合、段差部２が中空部６４内に嵌まるようにすることによりさらに強固の固定がなされる。また、プラグＰ１やＰ２のコンセントＣとの着脱に際し本体１の側面に設けられた引掛け用の突起１２に指をかけることにより作業を容易に行うことができる。
【００３４】
また、本発明では配設されたコンセントＣが長尺であり、機器に接続した上記プラグＰ１やＰ２を給電などに際して機器に近い任意箇所での差し込み装着が可能で電線の配線距離が短縮できたり、１個のコンセントＣに複数個のプラグＰ１やＰ２を差し込み使用することができるなど機器周りの整理整頓がはかれる。
【００３５】
上述したようにこのプラグＰ１およびＰ２は、平行して設けられた一対の刃状端子部材の突出高さ（長さ）を長短異ならせることにより、コンセントへ極性の誤りがなく接続がなされるとともに装着が容易に行える利点を有する。さらに、プラグＰ２は刃状端子部材３Ａ，３Ｂの先端部端面を平行方向に傾斜させたことにより小さい差し込み力でコンセントに挿入装着ができる。
【００３６】
また、長尺のコンセントＣは、上記プラグＰ１およびＰ２などと対応した極性の誤接続がないとともに多数個のプラグＰ１やＰ２の接続が可能であり、また、接続も容易である。
【００３７】
したがって、中間接続部材の配線やメンテナンスなどの作業性の向上がはかれる直流用などに好適なプラグＰ１，Ｐ２およびコンセントＣを提供することができる。
【００３８】
図１９は本発明に係わるショーケースＳＣの実施の形態を示す斜視図である。ショーケースＳＣはそれぞれがたとえばスチール製の複数の支柱８１，…と、これら支柱８１，…を直立させる基台８２，…と、支柱８１，…相互を接続する横柱８３，…と、支柱８１，…に取り付けられた腕状体８４，…と、腕状体８４，…上に載置された棚板８５，…とを主体として組み立てられている。
【００３９】
そして、上記棚板８５，…上などには陳列する商品などが並べられこれら商品を照明する直流点灯用光源、ここでは複数個のＬＥＤを直列的に直管チューブ内に配列したＬＥＤランプＬ，…が棚板８５，…の前方側下面に設けられている。また、任意の支柱８１，…（各支柱でも１本置きでもよい。）には、上記のリニア形のコンセントＣが裏面のマグネット６５などを介し垂直に支持され、各ＬＥＤランプＬ，…にはコンセントＣに装着した上記プラグＰ１を介し接続されている。
【００４０】
この図１９において左列のＬＥＤランプＬ，…を点灯させるには、交流電源に接続するプラグ９１−直流変換用の交流アダプタ９２−給電線９３−プラグ９４−支柱８１に沿い設けられたコンセントＣ−本発明に係わるプラグＰ１−給電線４−接続器具９５−ＬＥＤランプＬを経て通電が行われ、中列および右列のＬＥＤランプＬ，…は上記においてコンセントＣから渡りプラグ９６および給電線９７を介し隣接したコンセントＣへと接続して同様に点灯される。
【００４１】
上記構成のショーケースＳＣにおいて、あらたな商品を陳列のため棚板８５を増やしたり、商品や商品の高さが変わり棚板８５の高さ位置を上方や下方に移動する際など、給電線４に余裕がなくプラグＰ１の差し込み位置を変えたい場合などには、コンセントＣからプラグＰ１を引き抜き別の位置への差し込みが強い力を要さずとも容易に行えその作業性を高めることができるとともに極性の誤接続を防止できる。
【００４２】
また、上記各接続部（直流部）において用いられるプラグ９４、コンセントＣや渡りプラグ９６などの接続部材に、本発明に係わるプラグＰ１、Ｐ２を用いることは全く差し支えなく、コンセントはリニア形に限らず、また、台数も制限されるものではない。また、棚板８５，…を３列設けた場合で説明したが、棚板８５は１列のショーケースでもよくその場合は渡りプラグ９６は必要なくなる。
【００４３】
なお、本発明は上記実施の形態に限るものではない。たとえばプラグ本体から突出した刃状端子部材の基部側を覆う段差部は、上記第２の実施の形態では刃状端子部の基部周囲のみに形成したが、これに限らず本体と同幅寸法の段差部でもよく、また、この段差部はプラグ本体と一体成形されたものであっても、刃状端子部の挿通孔を形成した別成形された段差部を後から差し込み刃状端子部材の基部側を覆うよう組み立てた一体的に構成したものであってもよい。また、この段差部を軟質材料で成形すればコンセントとの接合面における密着性をよくすることができる。
【００４４】
また、長短一対の刃状端子部材の先端部端面の傾斜方向は、第２の実施の形態のように両者の離れている側の最先端部を高く（段差部突出基部よりの露出長さを長く）しても、図示していないが逆に両者の近接している側の最先端部を高くしても、あるいは両者とも同一方向に傾斜をもたせてもよい。なお、長短一対の刃状端子部材において、電気的には長寸側を正（＋）極、短寸側を負（−）極とするのが安全上好ましい。また、プラグ本体から導出される給電線を保護するアーマーは必須のものではない。
【００４５】
また、上記実施の形態でコンセントは一対の刃受端子部材を配設するのに基体と別体の絶縁体を設けたが、これに限らず基体と一体に仕切用の隔壁を設け形成した溝内に刃受端子部材を配設するようにしてもよい。また、一対の刃受端子部材に高低差をつける手段、絶縁体や隔壁、溝などの構造は実施の形態に示したものに限らない。また、刃受端子部材は略Ω形や略Ｕ字形に限らず、板状部材で弾性的に受入れ圧接する構造でもよい。
【００４６】
また、コンセントは電源供給用の電源線は必須のものではなく、他端を電源に接続した本発明に係わるプラグを介し刃受端子部材に給電するようにしてもよい。
【００４７】
また、コンセントとプラグとの機械的固定の強化のため、段差部と中空部などに凹凸による嵌合や係合などの手段を付加することは差し支えない。
【００４８】
さらに、上記実施の形態では照明装置として直流点灯用光源としてＬＥＤランプについて述べたが、光源はＬＥＤランプに限らず放電ランプや電球などであってもよい。
【実施例】
【００４９】
上記第２の実施の形態に示すプラグＰ２の具体的な実施例を下記に記述する。
【００５０】
プラグ本体１は硬質塩化ビニール製の長さが約３０ｍｍ、高さが約１５ｍｍ、幅が約１２ｍｍの略直方体形状をなし、本体１の底面１１側に長手方向に沿い高面２Ａ側の高さが約５．４ｍｍ、低面２Ｂ側の高さが約２．３ｍｍ、両者の幅が約５．８ｍｍの段差部２が本体１と一体で形成してある。
【００５１】
また、刃状端子部３Ａ，３Ｂは約０．８ｍｍの板厚のリン青銅板を、縦が約１７ｍｍ、幅が約１０ｍｍの略長方形状にプレス成形したもので、挿入部となる先端側は薄肉厚となるよう両面が面取りされた傾斜面が形成されているとともに先端面は水平面（図６中に示すｈ−ｈ線）に対し平行でない（θ）約３度傾斜させてある。
【００５２】
そして、プラグ本体１および段差部２内に平行方向約に約４．２ｍｍ離間させて相互の中心を約９ｍｍずらした位置に基端部側を埋設し高面２Ａおよび低面２Ｂからそれぞれ約５．５ｍｍ突出させた刃状端子部３Ａ，３Ｂは、両刃状端子部３Ａ，３Ｂの突出高さ（長さ）の差は約３ｍｍであった。また、上記先端面を傾斜させたことによる先端面左右の高低差は約０．４ｍｍ程度で、プラグＰ１の刃状端子部３Ａ，３Ｂを平面上に置いたとき、平面に両最先端部３１，３が当接し、他端部は少々浮き上がっていて接触していないのが確認できた。
【００５３】
また、このプラグＰ２に対応する上記実施の形態に示すリニア形のコンセントＣは、コンセント基台６１が硬質塩化ビニール製の全長が１０００〜１８００ｍｍ、高さが約１６ｍｍ、幅が約１２。３ｍｍの横断面が略コ字形をなし内部は長手方向に仕切壁６２により区分された深さが異なる二条の溝６３Ａ，６３Ｂおよび中空部６４が設けてある。なお、エンドキャップ６４Ａ，６４Ｂを含む最大高さは約１８．３ｍｍである。
【００５４】
また、上記溝６３Ａ，６３Ｂ内には、厚さ約０，３５ｍｍのリン青銅板を略Ω形状に折り曲げ成形した刃受端子部７Ａ，７Ｂを装着している。
【００５５】
なお、このリニア形のコンセントＣは、ショーケースなどにおける照明装置などの設置箇所、スペースや電気的容量などの条件に種々対応できるよう長手方向の寸法を変えた、たとえば全長が約１０００ｍｍ、約１３００ｍｍ、約１５００ｍｍ、約１８００ｍｍなど複数種の品揃えをすることができる。
【産業上の利用可能性】
【００５６】
本発明は、ショーケースなどの照明装置への適用に限らず、諸種の直流が使用される電気器具や電気設備などにおいて利用が可能である。
【符号の説明】
【００５７】
Ｐ１〜Ｐ２…プラグ、    １…プラグ本体、    ２…段差部、
３Ａ，３Ｂ…刃状端子部材、    ３１…最先端部、    Ｃ…コンセント、
６０…隔壁、６１…基体、    ６３Ａ，６３Ｂ…溝、
７Ａ，７Ｂ…刃受端子部材、    Ｌ；直流点灯用光源（ＬＥＤランプ）、
ＳＣ…ショーケース、
【図１】
2012185988.tif 000003
【図２】
2012185988.tif 000004
【図３】
2012185988.tif 000005
【図４】
2012185988.tif 000006
【図５】
2012185988.tif 000007
【図６】
2012185988.tif 000008
【図７】
2012185988.tif 000009
【図８】
2012185988.tif 000010
【図９】
2012185988.tif 000011
【図１０】
2012185988.tif 000012
【図１１】
2012185988.tif 000013
【図１２】
2012185988.tif 000014
【図１３】
2012185988.tif 000015
【図１４】
2012185988.tif 000016
【図１５】
2012185988.tif 000017
【図１６】
2012185988.tif 000018
【図１７】
2012185988.tif 000019
【図１８】
2012185988.tif 000020
【図１９】
2012185988.tif 000021